(57)【要約】【課題】  剃り方向に対して直交する方向に寝ている髭の外刃に対する導入性能を向上させて、剃り残しが無くなるようにした往復式電気カミソリを提供する。【解決手段】  剃り方向Ａと直交する方向Ｂに往復動する内刃７ａ〜７ｃをそれぞれ組み込んだ複数枚の外刃８ａ〜８ｃを剃り方向Ａに並設してなる往復式電気カミソリ１Ａであって、各外刃８ａ〜８ｃは、剃り方向Ａと直交する方向Ｂに振動させるとともに、隣り合う外刃８ａと８ｂ、８ｂと８ｃは、相互に逆位相で振動させることにより、剃り方向Ａに対して直交する方向Ｂに寝ている髭が外刃８ａ〜８ｃの振動で起き上がるようになるので、起き上がった髭が外刃８ａ〜８ｃに導入されて内刃７ａ〜７ｃでカットされるようになる。【選択図】  図１
2007029123.tif 000002
【特許請求の範囲】
【請求項１】
剃り方向と直交する方向に往復動する内刃をそれぞれ組み込んだ複数枚の外刃を剃り方向に並設してなる往復式電気カミソリであって、
前記各外刃は、剃り方向と直交する方向に振動するとともに、隣り合う外刃は、相互に逆位相で振動することを特徴とする往復式電気カミソリ。
【請求項２】
前記外刃の剃り方向の外側に対向して、肌押え部材を設けていることを特徴とする請求項１に記載の往復式電気カミソリ。
【請求項３】
前記肌押え部材は、剃り方向と直交する方向に振動するとともに、対向する外刃と逆位相で振動することを特徴とする請求項２に記載の往復式電気カミソリ。
【発明の詳細な説明】
【技術分野】
【０００１】
本発明は、剃り方向に対して直交する方向に寝ている髭の剃り残しが無くなる往復式電気カミソリに関する。
【背景技術】
【０００２】
従来、往復式電気カミソリとしては、剃り方向と直交する方向に往復動する内刃をそれぞれ組み込んだ複数枚の外刃を剃り方向に並設してなるものがある（特許文献１参照）。
【０００３】
この背景技術では、３枚の外刃を有して、剃り方向の中間部の外刃だけを剃り方向と直交する方向に振動させることにより肌をアジテートするようになっている。
【特許文献１】特表２０００−５１３９７６号公報
【発明の開示】
【発明が解決しようとする課題】
【０００４】
しかしながら、前記背景技術では、剃り方向に寝ている髭は外刃に導入されやすいが、剃り方向に対して直交する方向に寝ている髭は、中間部の外刃の振動だけでは外刃に導入されにくいために、剃り残しが発生するという問題があった。
【０００５】
本発明は、前記問題を解消するためになされたもので、剃り方向に対して直交する方向に寝ている髭の外刃に対する導入性能を向上させて、剃り残しが無くなるようにした往復式電気カミソリを提供することを目的とするものである。
【課題を解決するための手段】
【０００６】
前記課題を解決するために、本発明は、剃り方向と直交する方向に往復動する内刃をそれぞれ組み込んだ複数枚の外刃を剃り方向に並設してなる往復式電気カミソリであって、前記各外刃は、剃り方向と直交する方向に振動するとともに、隣り合う外刃は、相互に逆位相で振動することを特徴とする往復式電気カミソリを提供するものである。
【０００７】
外刃の剃り方向の外側が表皮部分を引っ張る効果の低下を防ぐために、前記外刃の剃り方向の外側に対向して、肌押え部材を設けている構成とすることが好ましい。
【０００８】
外刃の剃り方向の外側が表皮部分を引っ張る効果をより向上させるために、前記肌押え部材は、剃り方向と直交する方向に振動するとともに、対向する外刃と逆位相で振動する構成とすることが好ましい。
【発明の効果】
【０００９】
本発明によれば、外刃を肌に接触させた状態で、電気カミソリを剃り方向に移動させることで、内刃の往復動に伴って、外刃に導入された髭を内刃でカットできるようになる。
【００１０】
一方、外刃の振動に伴って、外刃に接触している肌の表皮部分は引っ張られるが、髭の毛根付近の真皮部分は表皮部分と比べて引っ張られにくく、表皮部分と真皮部分の移動量に差ができる。このとき、剃り方向に対して直交する方向に寝ている髭は、髭の寝ている方向と反対方向に表皮部分が引っ張られる時に、表皮部分のみがずれて、髭が表皮部分から絞り出されるような状態で起き上がるようになる。したがって、外刃が振動しない場合には、外刃桟の下に潜り込んでしまうような短い髭でも、外刃の振動で起き上がるようになるので、起き上がった髭が外刃に導入されて内刃でカットされるようになる。このように、剃り方向に対して直交する方向に寝ている髭の外刃に対する導入性能が向上するので、剃り残しが無くなる。
【００１１】
また、隣り合う外刃を相互に逆位相で振動させるようにしているから、髭の周囲の肌は逆方向に引っ張られるために、背景技術と比べて、同じ振動振幅でも肌の引っ張られる長さが相対的に２倍となって、より効果的に髭が起き上がるので、髭の外刃に対する導入性能がより向上するようになる。
【発明を実施するための最良の形態】
【００１２】
以下、本発明を実施するための最良の形態について、図面を参照しながら詳細に説明する。
【００１３】
図１〜図７は、第１実施形態の往復式電気カミソリ１Ａであって、髭を剃るための刃ヘッドブロック２と、手で握るためのグリップブロック３とで構成されている。グリップブロック３には、具体的に図示しないが、次述するリニアモータ５（図５参照）の電源となる電池等が組み込まれている。
【００１４】
刃ヘッドブロック２にはヘッドケース４が設けられ、ヘッドケース４内にはリニアモータ５が収納されるとともに、ヘッドケース４の上部には、剃り方向Ａと直交する方向Ｂに往復動する内刃７ａ，７ｂ，７ｃをそれぞれ組み込んだ複数枚（本例では３枚）の外刃８ａ，８ｂ，８ｃが剃り方向Ａに並設されている。
【００１５】
剃り方向Ａの外側部に位置して、内刃７ａ，７ｃを組み込んだ円弧状の外刃８ａ，８ｃは、ネット刃であり、剃り方向Ａの中間部に位置して、内刃７ｂを組み込んだ平板状の粗剃り用外刃８ｂは、スリット刃である。
【００１６】
ネット外刃８ａ，８ｃは、刃取付け枠１０でそれぞれ保持され、スリット外刃８ｂは、両端を保持部材１１でそれぞれ保持されている。スリット外刃８ｂのスリット内刃７ｂは、保持部材１１とスリット内刃７ｂとの間に介設したばね１２のばね力でスリット外刃８ｂの内面に押し付けられている。
【００１７】
ヘッドケース４の上部には、剃り方向Ａと直交する方向Ｂに往復移動可能な横長四角枠状のネット刃保持枠１３が設けられるとともに、ネット刃保持枠１３内に位置して、剃り方向Ａと直交する方向Ｂに往復移動可能なストレート状のスリット刃保持枠１４が設けられている。ネット刃保持枠１３とスリット刃保持枠１４の下面には突起（不図示）が形成され、ヘッドケース４の上面には、剃り方向Ａと直交する方向Ｂに延在する溝（不図示）が形成されて、ネット刃保持枠１３とスリット刃保持枠１４の突起がヘッドケース４の溝に係合することで、ネット刃保持枠１３とスリット刃保持枠１４とは、剃り方向Ａと直交する方向Ｂに、相互に干渉しない状態で往復移動可能にガイドされるようになる。
【００１８】
ネット刃保持枠１３内の剃り方向Ａの外側部には、ネット外刃８ａ，８ｃがネット刃保持枠１３で独立にフロート可能に保持されている。
【００１９】
ネット刃保持枠１３内の剃り方向Ａの中間部、つまり、ネット外刃８ａ，８ｃの間に位置するスリット外刃８ｂがスリット刃保持枠１４で独立にフロート可能に保持されている。
【００２０】
ヘッドケース４の上部には、リニアモータ５で剃り方向Ａと直交する方向Ｂに往復動される駆動子１６がネット外刃８ａ，８ｃの内刃７ａ，７ｃに対応した位置に設けられ、各駆動子１６が内刃７ａ，７ｃにそれぞれ係合されるとともに、内刃７ａ，７ｃは、駆動子１６と内刃７ａ，７ｃとの間に介設したばね１７のばね力でネット外刃８ａ，８ｃの内面にそれぞれ押し付けられている。
【００２１】
ヘッドケース４の上部には、一方の駆動子１６に連動するスリット内刃駆動部材１９が設けられ、このスリット内刃駆動部材１９の突起部１９ａがスリット内刃７ｂの係合部材２０に係合されている。
【００２２】
そして、リニアモータ５から駆動子１６を介して内刃７ａ，７ｃが往復動されることにより、ネット外刃８ａ，８ｃに導入された髭を内刃７ａ，７ｃでカットできるようになる。同時に、一方の駆動子１６からスリット内刃駆動部材１９を介してスリット内刃７ｂが往復動されることにより、スリット外刃８ｂに導入された髭をスリット内刃７ｂでカットできるようになる。
【００２３】
ヘッドケース４の上部の剃り方向Ａと直交する方向Ｂの一方の端部分には、小型の電動モータ２２が収納され、この電動モータ２２の出力軸には歯車２３が取付けられ、この歯車２３は、ヘッドケース４の支軸で回転自在に嵌合させた歯車２４に噛み合わされいる。各歯車２３，２４は同サイズであって、各歯車２３，２４には、回転中心から離れた位置に、１８０度で位相をずらせた偏心ピン２３ａ，２４ａがそれぞれ固定されている。
【００２４】
ネット刃保持枠１３には、歯車２４の方向に延在する延在部１３ａが設けられ、この延在部１３ａには、歯車２４の偏心ピン２４ａに係合する長穴１３ｂが形成されている。また、スリット刃保持枠１４には、歯車２３の方向に延在する延在部１４ａが設けられ、この延在部１４ａには、歯車２３の偏心ピン２３ａに係合する長穴１４ｂが形成されている。
【００２５】
そして、電動モータ２２の駆動で歯車２３，２４が相互に逆回転されて、偏心ピン２３ａ，２４ａが偏心回転されることにより、ネット刃保持枠１３とスリット刃保持枠１４とは、剃り方向Ａと直交する方向Ｂに往復振動されるようになる。このとき、歯車２３，２４が相互に逆回転されることと相俟って、偏心ピン２３ａ，２４ａの位置を１８０度で位相をずらせているので、ネット刃保持枠１３とスリット刃保持枠１４とが逆位相で往復振動するようになる。
【００２６】
つまり、ネット刃保持枠１３で保持されたネット外刃８ａ，８ｃが左方に振動すると、スリット刃保持枠１４で保持されたスリット外刃８ｂが右方に振動し、逆にネット外刃８ａ，８ｃが右方に振動すると、スリット外刃８ｂが左方に振動するようになる。換言すれば、隣り合うネット外刃８ａ，８ｃとスリット外刃８ｂとは、相互に逆位相で振動することになる。
【００２７】
ヘッドケース４の上部には、ネット外刃８ａ，８ｃとスリット外刃８ｂの剃り部分を外部に露出させた状態で、その周辺部分を覆うネットカバー２６が取付けられている。
【００２８】
第１実施形態の往復式電気カミソリ１Ａであれば、グリップブロック３を手で握って、刃ヘッドブロック２のヘッドケース４のネット外刃８ａ，８ｃとスリット外刃８ｂとを肌に接触させた状態で、電気カミソリ１Ａを剃り方向Ａに移動させることで、リニアモータ５による内刃７ａ，７ｂ，７ｃの往復動に伴って、外刃８ａ，８ｂ，８ｃに導入された髭を内刃７ａ，７ｂ，７ｃでカットできるようになる。
【００２９】
一方、電動モータ２２による外刃８ａ，８ｂ，８ｃの往復振動に伴って、外刃８ａ，８ｂ，８ｃに接触している肌の表皮部分は引っ張られるが、髭の毛根付近の真皮部分は表皮部分と比べて引っ張られにくく、表皮部分と真皮部分の移動量に差ができる。このとき、剃り方向Ａに対して直交する方向Ｂに寝ている髭は、髭の寝ている方向と反対方向に表皮部分が引っ張られる時に、表皮部分のみがずれて、髭が表皮部分から絞り出されるような状態で起き上がるようになる。
【００３０】
したがって、外刃８ａ，８ｂ，８ｃが振動しない場合には、外刃桟の下に潜り込んでしまうような短い髭でも、外刃８ａ，８ｂ，８ｃの振動で起き上がるようになるので、起き上がった髭が外刃８ａ，８ｂ，８ｃに導入されて内刃７ａ，７ｂ，７ｃでカットされるようになる。
【００３１】
このように、剃り方向Ａに対して直交する方向Ｂに寝ている髭の外刃８ａ，８ｂ，８ｃに対する導入性能が向上するので、剃り残しが無くなる。
【００３２】
また、前記背景技術では、剃り方向Ａの中間部の外刃だけを剃り方向Ａと直交する方向Ｂに振動させるようにしているから、剃り方向Ａに対して直交する方向Ｂに寝ている髭の外刃に対する導入性能が有ると考えられなくはない。
【００３３】
しかしながら、背景技術では、中間部の外刃だけを振動させるものであるのに対して、本実施形態では、隣り合うネット外刃８ａ，８ｃとスリット外刃８ｂとを相互に逆位相で振動させるようにしているから、髭の周囲の肌は逆方向に引っ張られるために、背景技術と比べて、同じ振動振幅でも肌の引っ張られる長さが相対的に２倍となって、より効果的に髭が起き上がるので、髭の外刃８ａ，８ｂ，８ｃに対する導入性能がより向上するようになる。
【００３４】
図８〜図１０は、第２実施形態の往復式電気カミソリ１Ｂであって、第１実施形態の往復式電気カミソリ１Ａと相違するのは、ネット外刃８ａ，８ｃの剃り方向Ａの外側に対向して、肌押え部材２８を設けている点である。
【００３５】
すなわち、ヘッドケース４の剃り方向Ａの外側部に、溝状の肌押え保持部４ａが一体形成され、この肌押え保持部４ａに肌押え部材２８がそれぞれ独立にフロート可能に差し込み保持されている。各肌押え部材２８は、ばね２９のばね力で肌にそれぞれ押し付けられるようになる。ヘッドケース４の上部に取付けられるネットカバー２６には、各肌押え部材２８を外部に露出させる切欠き２６ａが形成されている。
【００３６】
第２実施形態の往復式電気カミソリ１Ｂであれば、剃り方向Ａの外側部に位置するネット外刃８ａ，８ｃは、スリット外刃８ｂが隣接しない外側（肌押え部材２８側）では肌が拘束されないため、髭の周囲の肌も同様に引っ張られて真皮部分も含めた肌全体が動くので、ネット外刃８ａ，８ｃが表皮部分を引っ張る効果が低下する。そこで、スリット外刃８ｂが隣接しない外側の肌を肌押え部材２８で拘束することで、剃り方向Ａの外側部に位置するネット外刃８ａ，８ｃの外側が表皮部分を引っ張る効果の低下を防ぐことができる。
【００３７】
図１１〜図１３は、第３実施形態の往復式電気カミソリ１Ｃであって、第２実施形態の往復式電気カミソリ１Ｂと相違するのは、肌押え部材２８は、剃り方向Ａと直交する方向Ｂに振動するとともに、対向するネット外刃８ａ，８ｃと逆位相で振動する点である。
【００３８】
すなわち、スリット刃保持枠１４にはＵ字形状の肌押え保持枠部１４ｃが一体形成され、この肌押え保持枠部１４ｃの両端部に、溝状の肌押え保持部１４ｄがそれぞれ一体形成され、この肌押え保持部１４ｄに肌押え部材２８がそれぞれ独立にフロート可能に差し込み保持されている。
【００３９】
肌押え保持枠部１４ｃの肌押え保持部１４ｄの下面には突起（不図示）が形成され、ヘッドケース４の上面には、剃り方向Ａと直交する方向Ｂに延在する溝（不図示）が形成されて、肌押え保持枠部１４ｃの突起がヘッドケース４の溝に係合することで、スリット刃保持枠１４とともに肌押え保持枠部１４ｃが剃り方向Ａと直交する方向Ｂに往復移動可能にガイドされるようになる。
【００４０】
第３実施形態の往復式電気カミソリ１Ｃであれば、肌押え部材２８は、中間部のスリット外刃８ｂと同位相で剃り方向Ａと直交する方向Ｂに振動する、つまり、外側部のネット外刃８ａ，８ｃと逆位相で振動するから、髭の周囲の肌が逆方向に引っ張られるために、第２実施形態の往復式電気カミソリ１Ｂの肌押え部材２８と比較して、肌押え部材２８で肌の引っ張られる長さが相対的に２倍になり、より効果的に髭の絞り出しができて、外刃８ａ，８ｃに対する髭の導入性能が向上するようになる。
【００４１】
前記各実施形態において、外刃８ａ〜８ｃの振動数を髭剃り速度に応じて変化させるように制御することができる。
【００４２】
この制御であれば、髭剃り速度が速い場合に外刃８ａ〜８ｃの振動数が遅いと、髭の周囲の肌を充分に引っ張れなくて、髭の絞り出しが不充分になるところが、髭剃り速度が速い場合には、外刃８ａ〜８ｃの振動数を速く制御することで、髭の周囲の肌が充分に引っ張れて、髭を充分に絞り出せるので、外刃８ａ〜８ｃに対する髭の導入性能が向上するようになる。
【００４３】
また、外刃８ａ〜８ｃの振動数を肌の状態に応じて変化させるように制御することができる。
【００４４】
この制御であれば、骨張っていて引っ張られにくい肌では、外刃８ａ〜８ｃを振動させても、外刃８ａ〜８ｃが肌上を滑るのみで不快感を与えてしまうところが、外刃８ａ〜８ｃの振動数を少なくして、外刃８ａ〜８ｃが肌上を滑る現象を抑えることで、不快感を与えることがなくなる。
【００４５】
前記各制御は、髭剃り速度が変わったり、骨張った部分や肌の柔らかい部分で髭剃りをする場合、リニアモータ５に対する負荷が変わって振動振幅に変化が現れる。この変化を検知して、髭剃り速度や肌の状態に応じて予め設定した振動数に変化させるようにすれば良い。
【００４６】
前記各実施形態では、３枚の外刃８ａ，８ｂ，８ｃを剃り方向Ａに並設したものであったが、２枚の外刃を剃り方向Ａに並設したり、４枚以上の外刃を剃り方向Ａに並設したものであっても良い。
【図面の簡単な説明】
【００４７】
【図１】本発明の第１実施形態に係る往復式電気カミソリの斜視図である。
【図２】図１の往復式電気カミソリの分解斜視図である。
【図３】図１の往復式電気カミソリのヘッドカバーを取外した斜視図である。
【図４】図１の往復式電気カミソリのヘッドカバーと外側部の外刃を取外した斜視図である。
【図５】図１の往復式電気カミソリの外側部の外刃部分の正面断面図である。
【図６】図１の往復式電気カミソリの中間部の外刃部分の正面断面図である。
【図７】図１の往復式電気カミソリの側面断面図である。
【図８】本発明の第２実施形態に係る往復式電気カミソリの斜視図である。
【図９】図８の往復式電気カミソリの分解斜視図である。
【図１０】図８の往復式電気カミソリのヘッドカバーを取外した斜視図である。
【図１１】本発明の第３実施形態に係る往復式電気カミソリの斜視図である。
【図１２】図１１の往復式電気カミソリの分解斜視図である。
【図１３】図１１の往復式電気カミソリのヘッドカバーを取外した斜視図である。
【符号の説明】
【００４８】
１Ａ，１Ｂ，１Ｃ  往復式電気カミソリ
２    刃ヘッドブロック
３    グリップブロック
４    ヘッドケース
５    リニアモータ
７ａ〜７ｃ  内刃
８ａ〜８ｃ  外刃
１３  ネット刃保持枠
１４  スリット刃保持枠
１６  駆動子
２２  電動モータ
２３，２４  歯車
２３ａ、２４ａ  偏心ピン
２８  肌押え部材
Ａ    剃り方向
Ｂ    剃り方向と直交する方向
【図１】
2007029123.tif 000003
【図２】
2007029123.tif 000004
【図３】
2007029123.tif 000005
【図４】
2007029123.tif 000006
【図５】
2007029123.tif 000007
【図６】
2007029123.tif 000008
【図７】
2007029123.tif 000009
【図８】
2007029123.tif 000010
【図９】
2007029123.tif 000011
【図１０】
2007029123.tif 000012
【図１１】
2007029123.tif 000013
【図１２】
2007029123.tif 000014
【図１３】
2007029123.tif 000015